(57)【要約】【課題】  興趣に富み、収集性のあるカードゲーム具を提供すること。【解決手段】  複数枚のカードを備えたカードゲーム具であって、カードは、各カードごとのカード番号が表示されたカード番号表示部と、当該カードごとに異なるストーリーが表示されたストーリー表示部と、当該ストーリーの続きとなる他のストーリーが表された他のカードのカード番号が表示された進行先カード番号表示部と、を備えた。【選択図】図２
0003110275.tif 000002
【実用新案登録請求の範囲】
【請求項１】
複数枚のカードを備えたカードゲーム具であって、
前記カードは、
各カードごとのカード番号が表示されたカード番号表示部と、当該カードごとに異なるストーリーが表示されたストーリー表示部と、当該ストーリーの続きとなる他のストーリーが表された他のカードの前記カード番号が表示された進行先カード番号表示部と、を備えたことを特徴とするカードゲーム具。
【請求項２】
前記カードは、異なる前記カード番号が表示された複数の前記進行先カード番号表示部を備えた、ことを特徴とすることを特徴とする請求項１記載のカードゲーム具。
【請求項３】
前記カードは、前記各進行先カード番号表示部に表示された前記カード番号をユーザが選択する際に参考とする選択情報が表示された選択情報表示部をそれぞれ前記各進行先カード番号表示部と共に備えた、ことを特徴とする請求項２記載のカードゲーム具。
【請求項４】
前記ストーリー表示部と前記進行先カード番号表示部及び前記選択情報表示部とを前記カードの同一面上に設けた、ことを特徴とする請求項３記載のカードゲーム具。
【請求項５】
前記カードは、図形が表示された図形表示部を備えた、ことを特徴とする請求項１，２，３又は４記載のカードゲーム具。
【請求項６】
前記図形表示部に、前記カードに表示された前記ストーリーに対応した図形を表示すると共に、この図形表示部を、前記ストーリー表示部と前記カードの同一面に設けた、ことを特徴とする請求項５記載のカードゲーム具。
【請求項７】
前記図形表示部を、前記ストーリー表示部が設けられた前記カードの面とは反対側の面に設けた、ことを特徴とする請求項５記載のカードゲーム具。
【請求項８】
前記カードは、当該カードに表示された前記ストーリーに対応したタイトルが表示されたタイトル表示部を備えた、ことを特徴とする請求項１，２，３，４，５，６又は７記載のカードゲーム具。
【考案の詳細な説明】
【技術分野】
【０００１】
本考案は、カードゲーム具にかかり、特に、複数枚のカードによって構成されるカードゲーム具に関する。
【背景技術】
【０００２】
従来より、カードゲーム具としてはトランプやカルタなどがある。特に、トランプは、各種類の連続番号が付されたカードを組み合わせることによって、多様な方法のゲームを楽しむことができる。
【０００３】
そして、かかるトランプを改良した考案が、特許文献１，２に開示されている。各特許文献記載の考案には、それぞれトランプの表示にさらに他の情報を付加表示し、これにより、さらなるゲーム方法を提供する、というものである。
【０００４】
【特許文献１】登録実用新案第３０８６５７８号公報
【特許文献２】登録実用新案第３０８２６２８号号項
【考案の開示】
【考案が解決しようとする課題】
【０００５】
しかしながら、いずれもトランプを基本としたカードゲーム具であり、全ての種類のカードを同時に販売しなければならない、という問題が生じる。すなわち、カードを数枚単位で分割して販売することができず、トレーディングカードのような収集目的のカードとして取り扱うことが困難である。従って、収集性のあるカードゲーム具として利用することができず、ユーザの購買意欲の向上を図ることができない、という問題が生じている。
【０００６】
このようなことから、ユーザのさらなる興味を引くようなカードゲームが望まれているため、本考案では、興趣に富み、収集性のあるカードゲーム具を提供することをその目的とする。
【課題を解決するための手段】
【０００７】
そこで、本考案では、複数枚のカードを備えたカードゲーム具であって、
カードは、
各カードごとのカード番号が表示されたカード番号表示部と、当該カードごとに異なるストーリーが表示されたストーリー表示部と、当該ストーリーの続きとなる他のストーリーが表された他のカードのカード番号が表示された進行先カード番号表示部と、を備えたことを特徴としている。
【０００８】
上記考案によると、各カードごとにストーリーが表されており、かつ、その続きを特定するカード番号が表示されているため、これを辿って他のカードのストーリーを読みことで、当該ストーリーを楽しむことができる。従って、ユーザの興趣の向上を図ることができると共に、ユーザによるカードの収集性の向上を図ることができる。
【０００９】
そして、カードは、異なるカード番号が表示された複数の進行先カード番号表示部を備えていると望ましい。このとき、特に、カードは、各進行先カード番号表示部に表示されたカード番号をユーザが選択する際に参考とする選択情報が表示された選択情報表示部をそれぞれ各進行先カード番号表示部と共に備えているとなお望ましい。これにより、ユーザは、選択情報に基づいて進行先となるカードを選択することができるため、ユーザが選択する番号によって、各ユーザごとに異なるストーリーが展開される。従って、収集するユーザのさらなる興趣の向上を図ることができる。
【００１０】
また、ストーリー表示部と進行先カード番号表示部とをカードの同一面上に設けると望ましい。これにより、ユーザはストーリーを読みつつ、次の進行先となるカード番号を容易に選択することができ、ゲームの進行が容易となる。
【００１１】
また、上記カードは、図形が表示された図形表示部を備えているとよく、特に、カードに表示されたストーリーに対応した図形を表示する図形表示部を、ストーリー表示部とカードの同一面に設けると望ましい。同様に、カードに表示されたストーリーに対応したタイトルが表示されたタイトル表示部を備えるとよい。これにより、カードを収集するユーザは、ストーリーだけでなく、図形やタイトルをも楽しむことができ、興趣が向上し、さらなる収集性の向上を図ることができる。このとき、上記とは逆に、図形表示部をストーリー表示部が設けられたカードの面とは反対側の面に設けてもよい。かかる場合には、図形をカード上に広く表示することができ、かかる図形表示によりカードとしての価値を高めることができ、収集目的のカードとしての利用を促進し、カードの収集性が向上しうる。
【考案の効果】
【００１２】
本考案は、以上のように構成され機能するので、これによると、各カードごとにストーリーが表されており、かつ、その続きを特定するカード番号が表示されているため、これを辿って他のカードのストーリーを読みことで、当該ストーリーを楽しむことができ、ユーザの興趣の向上を図ることができる。そして、カードを収集するにつれてストーリーが展開されていくため、ユーザによるカードの収集性の向上を図ることができる、という従来にない優れた効果を有する。
【考案を実施するための最良の形態】
【００１３】
本考案は、カードに表示された番号に基づいて当該カードに表示されたストーリーを読む、という点に特徴を有する。以下、実施例を参照して、本考案の構成を詳細に説明する。
【実施例１】
【００１４】
本考案の実施例を、図１乃至図３を参照して説明する。本考案であるカードゲーム具は、複数のカード１にて構成されており、各カード１の表示内容はそれぞれ異なっている。すなわち、後述するように、カード１に表示されるカード番号やストーリーなどは、各カード１で異なる。ここで、カード１の一例を図１に示す。図１（ａ）はカード１の表面１Ａを示し、図１（ｂ）はカード１の裏面１Ｂを示している。そして、かかるカード１の表示内容をブロック表示したものを図２に示す。なお、以下に説明する各カード１上の各表示部の配置や表示内容は一例であって、下記のものに限定されるわけではない。
【００１５】
図２（ａ）に示すように、カード１の表面１Ａには、各カード１ごとのカード番号が表示されたカード番号表示部１１と、タイトルが表示されたタイトル表示部１２と、キャラクターなどの図形が表示された図形表示部１３と、が形成されている。また、カード１の裏面１Ｂには、表面１Ａに形成されたカード番号表示部１１、タイトル表示部１２、図形表示部１３に加えて、カード１ごとに異なるストーリーが表示されたストーリー表示部１４と、当該ストーリーの続きとなるストーリーが表された他のカードへの進行先情報が表示された進行先情報表示部１５（１６，１７）と、が形成されている。以下、各表示部１１〜１７に表示される情報について詳述する。
【００１６】
まず、カード番号表示部１１は、カード１固有の番号を表す数字による情報を表示する領域であって、表面１Ａと裏面１Ｂとに備えられている。例えば、図１に示すカード１にて表示されているカード番号は「５」であり、図示しないが、他のカード番号が付されたカード１との組み合わせによりカードゲーム具を構成している。なお、カード番号は、少なくともカード１の一方の面に表示されていればよく、必ずしも両面１Ａ，１Ｂに表示されていることに限定されない。
【００１７】
タイトル表示部１２は、上記ストーリー表示部１４に表示されたストーリーの内容を表すタイトル文字を表示する領域であって、表面１Ａと裏面１Ｂとに備えられている。例えば、図１に示すカード１にて表示されているタイトルは「さくらとの約束」である。かかる表示により、ユーザはカード１のストーリーの内容を予測することができる。なお、タイトルは、必ずしも設けられていることに限定されず、かかる表示はなくてもよい。また、カード１の一方の面にのみ表示されていてもよい。
【００１８】
図形表示部１３は、上記ストーリー表示部１４に表示されたストーリーに対応したキャラクターなどのアニメ画像を表示する領域であって、表面１Ａと裏面１Ｂとに備えられている。例えば、図１に示すカード１にて表示されている図形は「少女のアニメキャラクター画像」であり、表面１Ａのものと、裏面１Ｂのものとで異なっている。例えば、表面では、画像を大きく表示することで、当該カード１をトレーディングカードとして利用することもできる。また、裏面１Ｂの画像は、後述するように、当該裏面に表示されたストーリーに合わせた画像を表示することで、よりカード１の表示内容が充実し、興趣の向上を図ることができる。なお、図形表示部１３は、必ずしもカード１に設けられていなくてもよいが、上述したように、表面１Ａに示すように大きく表示することで、収集目的のカードとしても利用することができ、ユーザによる収集性の向上を図ることができる。また、裏面１Ｂに示すようにストーリーと共に表示させるに対応させて表示することで、ユーザはストーリーと共に図形をも楽しむことができる。
【００１９】
ストーリー表示部１４は、カード１ごとのストーリーを表す文字情報が表示されている。そして、かかるストーリーは、後述するように、進行先情報表示部１５に表示される進行先となる他のカード１に表示されたストーリーに続くよう構成されている。逆に言うと、進行元となる他のカード１に表示されたストーリーから続く内容になっている。従って、図１に示すカード番号「５」のストーリーは、このカード１を進行先として選択可能としている他のカード１（図示せず）のストーリーから続く内容になっており、また、このカード１から進行する他のカード１（例えば、右下に示すカード番号「６」又は「７０」のカード１（図示せず））のストーリーへと続く内容になっている。
【００２０】
進行先情報表示部１５は、進行先カード番号表示部１６と、選択情報表示部１７と、を備えている。進行先カード番号表示部１６は、自身のカード１に表されたストーリーの続きが表示されている他のカード１のカード番号を表示する領域である。そして、進行先カード番号表示部１６と対となって上記選択情報表示部１７が備えられており、当該選択情報表示部１７には進行先となるカード番号を選択する際に参照するための情報が表示される。具体的には、自身のカード１（ここでは、カード番号「５」のカード）に表示されたストーリーに対する選択肢が表示されている。従って、この選択肢を表す選択情報表示部１７と共に、かかる選択肢を選択した場合の進行先となる他のカード番号である進行先カード番号表示部１６が対となって、進行先情報表示部１５に表示されている。そして、この進行先情報表示部１５は、１枚のカード１に複数設けられていてもよい。これにより、選択したカード番号に記載されたストーリーを続きとして読むため、各ユーザごとに異なるストーリーが展開されることとなる。例えば、図１（ｂ）の進行先情報表示部１５には、「６（カード番号）：のんびり寝ていよう（選択情報）」と、「７０（カード番号）：時間は有効に使おう（選択情報）」との２つが表示されているが、カード番号「５」のストーリーを読んだ上で、ユーザが自己の判断でいずれかを選択して、カード番号「６」か「７０」のいずれかに進むこととなる。
【００２１】
ここで、図１，２に示す例では、進行先カード番号表示部１６及び選択情報表示部１７を含んだ進行先情報表示部１５がストーリー表示部１４と共に表示されている。このように、ストーリーと選択情報やこれに対応する進行先のカード番号とをカード１の同一面上に設けることで、ユーザはストーリーを読みつつ、次の進行先となるカード番号を容易に選択することができ、ゲームの進行が容易となる。
【００２２】
次に、図３を参照して、カードゲーム具の進行の一例を説明する。なお、この図では、複数のカード１（カード番号５，６，７０，１４，５２，９，２３，６２）を図示しているが、かかる枚数に限定されるものではなく、また、各カード番号も図示したものに限定されない。そして、この図におけるカード１には、主にカード番号表示部１１と進行先情報表示部１５とを図示しているだけであるが、図１、図２に示した他の表示を省略しているだけであって、もちろん他の表示部も設けられている。特に、ストーリー表示部１４は全てのカード１に必ず表示されており、それぞれ進行する前後のカード１に表示されたストーリーにつながるよう構成されている。
【００２３】
そして、図３の例では、まず、カード番号「５」には、進行先としてカード番号「６」，「７０」が表示されており、ユーザはいずれかのカード番号を選択情報を参照して選択することで、どちらかにカードに進む。そして、例えば、カード番号「６」に進んだ場合には、カード番号「６」のストーリーをユーザが読むことで、かかるストーリーが展開される。一方、カード番号「７０」に進んだ場合には、当該カード番号「７０」のストーリーをユーザが読むことで、さらに異なるストーリーが展開される。
【００２４】
その後、例えば、カード番号「６」に進んだユーザは、表示されている進行先であるカード番号「１４」，「５２」，「７０」を、選択情報を参照して選択する。そして、選択したカードを探し、そのストーリーを読む。あるいは、例えば、カード番号「７０」に進んだユーザは、表示されている信号先であるカード番号「９」，「２３」，「６２」を、選択情報を参照して選択し、当該選択したカードを探してストーリーを読む。このように、ゲームが進むにつれて分岐が多岐にわたるため、種々のストーリーが展開される。従って、ユーザはかかるストーリー展開を楽しむことができる。
【００２５】
また、種々の分岐があるため、ストーリーを連続して読むためには、カードを多く集める必要がある。従って、ユーザはストーリーを楽しみながらカードの収集を行うため、収集性の向上を図ることができる。なお、本考案にかかるカードは、キャラクターを表示する表示部（例えば、カード表面１Ａの図形表示部１３）も設けているため、トレーディングカードとしての役割も果たし、更なるカードの収集性の向上を図ることができると共に、ユーザの興趣の向上を図ることができる。
【産業上の利用可能性】
【００２６】
本考案は、各カードに表示されたストーリーの進行を楽しむと共に、トレーディングカードとしても収集可能なカードゲーム具として利用可能であり、産業上の利用可能性を有する。
【図面の簡単な説明】
【００２７】
【図１】本考案であるカードゲーム具を構成するカードの一例を示す図である。図１（ａ）はカード表面を示し、図１（ｂ）はカード裏面を示す。
【図２】カードの構成を示すブロック図である。図２（ａ）はカード表面の構成を示し、図２（ｂ）はカード裏面の構成を示す。
【図３】カードゲームの進行を示す説明図である。
【符号の説明】
【００２８】
１  カード
１１  カード番号表示部
１２  タイトル表示部
１３  図形表示部
１４  ストーリー表示
１５  進行先情報表示部
１６  進行先カード番号表示部
１７  選択情報表示部
１Ａ  カード表面
１Ｂ  カード裏面
【図１】
0003110275.tif 000003
【図２】
0003110275.tif 000004
【図３】
0003110275.tif 000005